【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
複数のアプリケーションがインストールされている情報処理装置が備えるコンピュータにおいて実行されることが可能な情報処理プログラムであって、
前記複数のアプリケーションのうちの第１のアプリケーションは、前記複数のアプリケーションのうちの第２のアプリケーションに画像データを処理させるための共有情報を作成可能なものであり、
前記情報処理プログラムは、前記第１のアプリケーションとして実行することが可能であり、
前記複数のアプリケーションのうちの前記第２のアプリケーションには、
前記第１のアプリケーションによって作成された共有情報であって、第１フォーマットの１ページ分の画像データを指定した共有情報を処理することが可能な第１フォーマット単数ページ画像データ対応アプリケーションと、
前記第１のアプリケーションによって作成された共有情報であって、前記第１フォーマットの１ページ分または複数ページ分の画像データを指定した共有情報を処理することが可能な第１フォーマット複数ページ画像データ対応アプリケーションとが含まれており、
前記情報処理プログラムは、
画像情報ソースから画像データを取得する画像取得手段と、
前記画像取得手段によって取得された画像データに基づく前記第１フォーマットの画像データのうち、１ページ分の画像データが操作部を介した操作によって指定された場合に、その指定された１ページ分の画像データの処理を、前記第１フォーマット単数ページ画像データ対応アプリケーション及び前記第１フォーマット複数ページ画像データ対応アプリケーションのうち、前記操作部を介した操作によって選択された前記アプリケーションに指示する共有制御手段として、
前記コンピュータを機能させることを特徴とする情報処理プログラム。
【請求項２】
前記共有制御手段は、前記画像取得手段によって取得された画像データに基づく前記第１フォーマットの画像データのうち、複数ページ分の画像データが前記操作部を介した操作によって指定された場合に、その指定された複数ページ分の画像データの処理を、前記第１フォーマット複数ページ画像データ対応アプリケーションのうち、前記操作部を介した操作によって選択された前記アプリケーションに指示することを特徴とする請求項１記載の情報処理プログラム。
【請求項３】
前記複数のアプリケーションのうちの前記第２のアプリケーションには、前記第１のアプリケーションによって作成された共有情報であって、第２フォーマットの画像データを指定した共有情報を処理することが可能な第２フォーマット画像データ対応アプリケーションが含まれており、
前記共有制御手段は、前記画像取得手段によって取得された画像データに基づく前記第２フォーマットの画像データが前記操作部を介した操作によって指定された場合に、その指定された画像データの処理を、前記第２フォーマット画像データ対応アプリケーションのうち、前記操作部を介した操作によって選択された前記アプリケーションに指示することを特徴とする請求項１または２に記載の情報処理プログラム。
【請求項４】
前記情報処理プログラムは、
第１選択肢と第２選択肢とを表示部に表示する第１表示制御手段と、
前記第１表示制御手段によって表示された前記第１選択肢を選択する操作を操作部が受け付けた場合は、前記画像データに基づいて、前記第１フォーマットの画像データを作成し、
前記第１表示制御手段によって表示された第２選択肢を選択する操作を操作部が受け付けた場合は、前記画像データに基づいて、前記第２フォーマットの画像データを作成する作成制御手段として、前記コンピュータを機能させ、
前記共有制御手段は、
前記作成制御手段によって作成された前記第１フォーマットの画像データのうち、１ページ分の画像データが前記操作部を介した操作によって指定された場合に、その指定された１ページ分の画像データの処理を、前記第１フォーマット単数ページ画像データ対応アプリケーション及び前記第１フォーマット複数ページ画像データ対応アプリケーションのうち、前記操作部を介した操作によって選択された前記アプリケーションに指示し、
前記作成制御手段によって作成された前記第１フォーマットの画像データのうち、複数ページ分の画像データが前記操作部を介した操作によって指定された場合は、その指定された複数ページ分の画像データの処理を、前記第１フォーマット複数ページ画像データ対応アプリケーションのうち、前記操作部を介した操作によって選択された前記アプリケーションに指示し、
前記作成制御手段によって前記第２フォーマットの画像データが作成された場合は、その画像データの処理を、前記第２フォーマット画像データ対応アプリケーションのうち、前記操作部を介した操作によって選択された前記アプリケーションに指示することを特徴とする請求項３記載の情報処理プログラム。
【請求項５】
前記作成制御手段が作成した第１フォーマットの画像データが１ページ分である場合、前記アプリケーションのうち、前記第１フォーマット単数ページ画像データ対応アプリケーションに対応する第１識別子を前記表示部に表示し、
前記作成制御手段が作成した第１フォーマットの画像データが複数ページ分である場合、前記アプリケーションのうち、前記第１フォーマット複数ページ画像データ対応アプリケーションに対応する第２識別子と、前記第１フォーマット単数ページ画像データ対応アプリケーションを示す第３識別子とを前記表示部に表示する第２表示制御手段と、
その第２表示制御手段によって表示された前記第３識別子が前記操作部を介した操作によって選択された場合、前記第１識別子を表示する第３表示制御手段として、
前記コンピュータを機能させ、
前記共有制御手段は、第１フォーマットの画像データの処理を、前記第２表示制御手段または前記第３表示制御手段によって表示された前記第１識別子または前記第２識別子のうち、前記操作部を介した操作によって選択された前記第１識別子または前記第２識別子に対応する前記アプリケーションに指示させることを特徴とする請求項４に記載の情報処理プログラム。
【請求項６】
前記情報処理プログラムは、
前記複数ページ分の画像データのうち、いずれの画像データを指定するかをユーザに指示させるためのページ選択画面を前記表示部に表示させる第４表示制御手段として前記コンピュータを機能させ、
前記共有制御手段は、
前記表示部に表示された前記第１識別子を選択する操作を操作部が受け付けた場合に、前記複数ページ分の画像データのうち前記ページ選択画面を介して指定された１つのページ分の画像データを指定した共有情報の処理を、前記第１フォーマット単数ページ画像データ対応アプリケーションのうち、前記操作部を介した操作によって選択された前記第１フォーマット単数ページ画像データ対応アプリケーションに指示させることを特徴とする請求項５に記載の情報処理プログラム。
【請求項７】
前記第１表示制御手段は、第１選択肢と第２選択肢とを並べて、前記表示部に表示させることを特徴とする請求項４から６のいずれかに記載の情報処理プログラム。
【請求項８】
前記第１フォーマットは、ＪＰＥＧフォーマットであることを特徴とする請求項１または２に記載の情報処理プログラム。
【請求項９】
前記第１フォーマットは、ＪＰＥＧフォーマットであり、前記第２フォーマットはＰＤＦフォーマットである、請求項３から７のいずれかに記載の情報処理プログラム。
【請求項１０】
複数のアプリケーションがインストールされている情報処理装置において、
前記複数のアプリケーションには、
第１フォーマットの１ページ分の画像データを指定した共有情報を処理することが可能な第１フォーマット単数ページ画像データ対応アプリケーションと、
前記第１フォーマットの１ページ分または複数ページ分の画像データを指定した共有情報を処理することが可能な第１フォーマット複数ページ画像データ対応アプリケーションとが含まれており、
画像情報ソースから画像データを取得する画像取得手段と、
前記画像取得手段によって取得された画像データに基づく前記第１フォーマットの画像データのうち、１ページ分の画像データが操作部を介した操作によって指定された場合に、その指定された１ページ分の画像データの処理を、前記第１フォーマット単数ページ画像データ対応アプリケーション及び前記第１フォーマット複数ページ画像データ対応アプリケーションのうち、前記操作部を介した操作によって選択された前記アプリケーションに指示する共有制御手段と、を備えることを特徴とする情報処理装置。
【請求項１１】
複数のアプリケーションがインストールされている情報処理装置おいて実行される情報処理方法であって、
前記複数のアプリケーションのうちの第１のアプリケーションは、前記複数のアプリケーションのうちの第２のアプリケーションに画像データを処理させるための共有情報を作成可能なものであり、
前記複数のアプリケーションのうちの前記第２のアプリケーションには、
前記第１のアプリケーションによって作成された共有情報であって、第１フォーマットの１ページ分の画像データを指定した共有情報を処理することが可能な第１フォーマット単数ページ画像データ対応アプリケーションと、
前記第１のアプリケーションによって作成された共有情報であって、前記第１フォーマットの１ページ分または複数ページ分の画像データを指定した共有情報を処理することが可能な第１フォーマット複数ページ画像データ対応アプリケーションとが含まれており、
画像情報ソースから画像データを取得する画像取得ステップと、
前記画像取得ステップによって取得された画像データに基づく前記第１フォーマットの画像データのうち、１ページ分の画像データが操作部を介した操作によって指定された場合に、その指定された１ページ分の画像データの処理を、前記第１フォーマット単数ページ画像データ対応アプリケーション及び前記第１フォーマット複数ページ画像データ対応アプリケーションのうち、前記操作部を介した操作によって選択された前記アプリケーションに指示する共有制御ステップと、を備えることを特徴とする情報処理方法。
【手続補正２】
【補正対象書類名】明細書
【補正対象項目名】０００８
【補正方法】変更
【補正の内容】
【０００８】
この目的を達成するために、本明細書の実施形態に記載の情報処理プログラムは、オペレーティングシステムと、複数のアプリケーションと、がインストールされている情報処理装置が備えるコンピュータにおいて実行されるプログラムであって、前記オペレーティングシステムは、前記複数のアプリケーションのうちの第１のアプリケーションの実行によって作成された第１共有情報の処理を、前記複数のアプリケーションのうちの第２のアプリケーションに指示する共有機能を持ち、前記複数のアプリケーションには、第１フォーマットの単数ページの画像データを指定した第２共有情報を処理することが可能な第１フォーマット単数ページ画像データ対応アプリケーションと、第１フォーマットの複数ページ分の画像データを指定した第２共有情報を処理することが可能な第１フォーマット複数ページ画像データ対応アプリケーションと、第２フォーマットの複数ページ分の画像データを指定した第２共有情報を処理することが可能な第２フォーマット画像データ対応アプリケーションとが含まれており、前記情報処理プログラムは、前記第１のアプリケーションとして実行することが可能であり、前記情報処理プログラムは、画像情報ソースから複数ページ分の画像データを取得する画像取得手段と、第１選択肢と第２選択肢とを表示部に表示する第１表示制御手段と、前記第１表示制御手段によって表示された前記第１選択肢を選択する操作を操作部が受け付けた場合は、前記画像データに基づいて、第１フォーマットの画像データを作成し、前記第１表示制御手段によって表示された第２選択肢を選択する操作を操作部が受け付けた場合は、前記画像データに基づいて、第２フォーマットの画像データを作成する作成制御手段と、前記作成制御手段によって作成された第１フォーマットの画像データが、単数ページである場合、その単数の第１フォーマットの画像データの処理を、前記オペレーティングシステムの共有機能を介して、前記第１フォーマット単数ページ画像データ対応アプリケーションのうち、ユーザ操作によって選択された前記アプリケーションに指示し、前記作成制御手段によって作成された第１フォーマットの画像データが複数ページであり、なおかつユーザ操作によって前記第１フォーマット複数ページ画像データ対応アプリケーションが選択された場合、複数ページの第１フォーマットの前記画像データの処理を、前記オペレーティングシステムの共有機能を介して、ユーザ操作によって選択された前記アプリケーションに指示し、前記作成制御手段によって作成された第１フォーマットの画像データが複数ページであり、なおかつユーザ操作によって前記第１フォーマット単数ページ画像データ対応アプリケーションが選択された場合、複数ページの第１フォーマットの前記画像データのうち、選択された１つのページ分の画像データの処理を、前記オペレーティングシステムの共有機能を介して、ユーザ操作によって選択された前記アプリケーションに指示し、前記作成制御手段が作成した第２フォーマットの画像データの処理を、前記オペレーティングシステムの共有機能を介して、前記第２フォーマット画像データ対応アプリケーションのうち、ユーザ操作によって選択された前記アプリケーションに指示する共有制御手段として、前記コンピュータを機能させる。